(57)【要約】【課題】歩行者が当たったときの衝撃を吸収して怪我を防止することができ、且つ軽量で錆びないガードフェンスの袖端部取付具を提供する。【解決手段】本発明の袖端部取付具５１は、最端のビームパイプ２１の袖端部２２に取り付けられる取付部５２と、該袖端部５２より突出する突出部５５とからなり、これら取付部５２と突出部５５とは、発泡ポリウレタン樹脂により中実に一体形成されている。突出部５５は、取付部５２の先端側に形成されており、略半球状の保護部５６を先端に備えている。一方、取付部５２はビームパイプ２１の袖端部５２に挿入される丸棒体であり、長さ方向の途中部にボルト通し穴として、該取付部５２の直径方向に貫通し発泡ポリウレタン樹脂に囲まれた円穴５３と楕円穴５４とが形成されている。【選択図】        図３
2007002528.tif 000002
【特許請求の範囲】
【請求項１】
最端のビームパイプの袖端部に取り付けられる取付部と、該袖端部より突出する突出部とからなるガードフェンスの袖端部取付具において、
少なくとも前記突出部が弾性高分子材料により形成されたことを特徴とするガードフェンスの袖端部取付具。
【請求項２】
前記突出部は略半球状の保護部を先端に備えた請求項１記載のガードフェンスの袖端部取付具。
【請求項３】
前記突出部に光反射部材が取着された請求項１記載のガードフェンスの袖端部取付具。
【請求項４】
前記突出部は略半球状の保護部を先端に備え、該保護部の一部に平面部が形成され、該平面部に板状の光反射部材が貼り付けにより取着された請求項１記載のガードフェンスの袖端部取付具。
【請求項５】
前記取付部は金属によりパイプ状に形成され、前記突出部と結合された請求項１〜４のいずれか一項に記載のガードフェンスの袖端部取付具。
【請求項６】
前記取付部は前記弾性高分子材料により前記突出部と一体形成された請求項１〜４のいずれか一項に記載のガードフェンスの袖端部取付具。
【請求項７】
前記突出部及び前記取付部は前記弾性高分子材料により中実に形成された請求項６記載のガードフェンスの袖端部取付具。
【請求項８】
前記取付部は前記ビームパイプの袖端部に挿入される丸棒体であり、長さ方向の途中部に直径方向に貫通し前記弾性高分子材料に囲まれたボルト通し穴が形成された請求項７記載のガードフェンスの袖端部取付具。
【請求項９】
２本のビームパイプの継端部に取り付けられるガードフェンスの継端部取付具において、
前記継端部取付具は２本のビームパイプの両方の継端部に跨って挿入される丸棒体であり、弾性高分子材料により中実に形成され、長さ方向の途中部に直径方向に貫通し前記弾性高分子材料に囲まれたボルト通し穴が形成されたことを特徴とするガードフェンスの継端部取付具。
【発明の詳細な説明】
【技術分野】
【０００１】
本発明は、車道と歩道との境等に設置されるガードフェンスにおけるビームパイプの袖端部に取り付けられる袖端部取付具、及び継端部に取り付けられる継端部取付具に関する。
【背景技術】
【０００２】
ガードフェンスは、一般に、支柱とその間に架けられたビームパイプとからなる。また、図５（ａ）に示すように、最端のビームパイプ２１の袖端部２１ａには、それが剥き出しのままでは、歩行者（自転車を含む）が当たったときに切り傷などの怪我をするおそれがあるので、袖パイプ９１が取り付けられている。この袖パイプ９１は、ビームパイプ２１の袖端部２１ａに挿入されてボルト４４ａとナット４４ｂとで取り付けられる鋼パイプ製の取付部９２と、袖端部２１ａより突出する鋼キャップ製の突出部９５とからなる。突出部９５は略半球状の保護部９６を先端に有する殻状のキャップであり、取付部９２の端に外嵌されて溶接固定されている。この略半球状の保護部９６には、その形状により歩行者が当たったときの切り傷等を緩和する作用がある。
【０００３】
ところが、この保護部９６は鋼製であり、衝撃を吸収する作用は小さいため、歩行者が当たったときに痛みを感じたり打撲による怪我をしたりするおそれがあった。そのため、特許文献１のように、袖パイプ９１の外側に別体形成した柔軟な緩衝部材（図示略）を取り付けて、衝撃を吸収するようにしたものも提案されている。
【特許文献１】特開２００１−６４９２７公報
【発明の開示】
【発明が解決しようとする課題】
【０００４】
しかし、特許文献１のように既存の袖パイプ９１に別体の緩衝部材を取り付ける構造では、部品点数と取付工程が増える、緩衝部材（図示略）が嵩張って見栄えも悪くなる、緩衝部材（図示略）がめくれるおそれがある、等の問題がある。また、既存の袖パイプ９１は全体が鋼製なので、重い、錆止めの塗料が必要である、特に保護部９６は塗料が当接により落ちやすく錆びやすい、等の問題もある。
【０００５】
そこで、本発明の目的は、歩行者が当たったときの衝撃を吸収して怪我を防止することができるだけでなく、部品点数や取付工程が増えず、各部が嵩張ったりめくれたりすることもなく、また、軽量で特に保護部の錆びないガードフェンスの袖端部取付具を提供することにある。さらに、本発明は、２本のビームパイプの継端部の内部において新たに衝撃吸収作用を発揮するガードフェンスの継端部取付具を提供することをも目的としている。
【課題を解決するための手段】
【０００６】
上記目的を達成するため、本発明のガードフェンスの袖端部取付具は、最端のビームパイプの袖端部に取り付けられる取付部と、該袖端部より突出する突出部とからなるガードフェンスの袖端部取付具において、少なくとも前記突出部が弾性高分子材料により形成されたことを特徴とする。
【０００７】
前記弾性高分子材料は、特に限定されないが、ゴム、発泡ゴム、軟質樹脂、発泡軟質樹脂、熱可塑性エラストマー、及び発泡熱可塑性エラストマーを例示する。その中でも、前記発泡軟質樹脂の一種である発泡ポリウレタン樹脂が好ましい。このことは、以下においても同様である。
【０００８】
前記突出部は、特に限定されないが、略半球状の保護部を先端に備えていることが好ましい。また、特に限定されないが、前記突出部に光反射部材が取着されていることが好ましい。
【０００９】
前記突出部の具体的な形態は、特に限定されないが、前記突出部は略半球状の保護部を先端に備え、該保護部の一部に平面部が形成され、該平面部に板状の光反射部材が貼り付けにより取着されていることが好ましい。
【００１０】
前記取付部の形態は、特に限定されないが、次の（ア）（イ）の形態を例示する。
（ア）前記取付部は金属によりパイプ状に形成され、前記突出部と結合された形態。
（イ）前記取付部は前記弾性高分子材料により前記突出部と一体形成された形態。
【００１１】
前記（イ）の形態において、前記突出部及び前記取付部は、特に限定されないが、前記弾性高分子材料により中実に形成されていることが好ましい。また、このとき、前記取付部は、特に限定されないが、前記ビームパイプの袖端部に挿入される丸棒体であり、長さ方向の途中部に直径方向に貫通し前記弾性高分子材料に囲まれたボルト通し穴が形成されていることが好ましい。
【００１２】
また、本発明のガードフェンスの継端部取付具は、２本のビームパイプの継端部に取り付けられるガードフェンスの継端部取付具において、前記継端部取付具は２本のビームパイプの両方の継端部に跨って挿入される丸棒体であり、弾性高分子材料により中実に形成され、長さ方向の途中部に直径方向に貫通し前記弾性高分子材料に囲まれたボルト通し穴が形成されたことを特徴とする。
【発明の効果】
【００１３】
本発明の袖端部取付具によれば、突出部が弾性高分子材料であるため、該突出部が錆びなくなる他、該高分子材料は軽いので該突出部が軽量化される。また、該高分子材料は柔軟であるため、ガードフェンスの袖の該突出部に歩行者が当たったときの衝撃が吸収され怪我が防止される。そして、このように該突出部自体が衝撃吸収作用を発揮することにより、従来例のような緩衝部材が別体形成される必要性がなくなり、部品点数や取付工程が増えるのが抑えられる。
【００１４】
また、更に（イ）の形態の袖端部取付具によれば、該突出部に加え取付部を含む全体が弾性高分子材料であるため、全体が錆びなくなり且つ全体が軽量化される。また、更に該突出部と取付部とが一体であるため、該袖端部取付具の各部が嵩張ったりめくれたりするのが防止される。
【００１５】
また、本発明の継端部取付具によれば、弾性高分子材料で柔軟なため、それらが取り付けられる各２本のビームパイプの継端部の内部において、新たに衝撃吸収作用が発揮される。
【発明を実施するための最良の形態】
【００１６】
本発明のガードフェンス９の袖端部取付具５１は、最端のビームパイプ２１の袖端部２１ａに取り付けられる取付部５２と、該袖端部２１ａより突出する突出部５５とからなり、これら取付部５２と突出部５５とは、発泡ポリウレタン樹脂により中実に一体形成されている。突出部５５は略半球状の保護部５６を先端に備え、該保護部５６の一部に平面部５７が形成され、該平面部５７に板状の光反射部材５９が貼り付けにより取着されている。一方、取付部５２はビームパイプ２１の袖端部２１ａに挿入される丸棒体であり、長さ方向の途中部にボルト通し穴として、該取付部５２を直径方向に貫通し発泡ポリウレタン樹脂に囲まれた円穴５３と楕円穴５４とが形成されている。
【実施例１】
【００１７】
本実施例１の図１及び図２に示す袖端部取付具３１は、ガードフェンスの袖を構成する部材である。以下には、その袖端部取付具３１を含み構成されたガードフェンス９の構造を説明する。
【００１８】
ガードフェンス９は、水平方向に間隔をおいて並んだ複数本の支柱１０と、該複数本の支柱１０に跨る形で上下に複数本並設された、水平方向へ延びる横ビーム２０とを含み構成されている。
【００１９】
各支柱１０は、垂直に立った円柱状の柱であって、数段階の高さレベルには、横ビーム２０を支持するためのブラケット１２が取り付けられている。そして、このブラケット１２には、ボルト４３ａを通すための挿通孔１３が貫設されている。
【００２０】
各横ビーム２０は、長さ方向へ並んだ複数本のビームパイプ２１と、それらを繋ぎ合わせる継手パイプ（図示略）と、最端のビームパイプ２１の袖端部２１ａに取り付けられる袖端部取付具３１とを含み構成されている。そして、この横ビーム２０は、各継手パイプ（図示略）及び各袖端部取付具３１が、各支柱１０の同じ高さレベルのブラケット１２に支持され設置される。
【００２１】
各ビームパイプ２１は、断面形状が円の細長く延びるパイプであって、その両端付近には、継手パイプ（図示略）又は袖端部取付具３１のいずれかをボルトとナットで接続するための挿通孔２４が２つずつ直径方向に貫設されている。
【００２２】
継手パイプ（図示略）は、横ビーム２０におけるビームパイプ２１の継手部分を構成する、中空構造の金属部材であって、ボルトとナットでブラケット１２及び両側のビームパイプ２１に接続される。
【００２３】
袖端部取付具３１は、横ビーム２０の袖を構成する部材であって、最端のビームパイプ２１の袖端部２１ａに取り付けられる取付部３２と、該袖端部２１ａより突出する突出部３５とから構成されている。該袖端部取付具３１の寸法は、断面の直径が、３５〜５５ｍｍ程度であり、長さが１５０〜３００ｍｍ程度である。
【００２４】
取付部３２は、ビームパイプ２１の袖端部２１ａに挿入されてボルト４４ａとナット４４ｂとで取り付けられるパイプ状の金属部分であって、その外径の大きさは、ビームパイプ２１の内径と略等しいかそれよりわずかに小さく形成されている。そして、この取付部３２の長さ方向の途中部には、ボルト通し孔として、該取付部３２を側面から直径方向へ貫通した円孔３３と楕円孔３４とが形成されている。円孔３３は、ブラケット１２の挿通孔１３に合わせられ、ここにボルト４３ａとナット４３ｂとで止着される。この円孔３３は、円形の断面形状をしており、取付部３２の中央より先側に１つ形成されている。一方、楕円孔３４は、ビームパイプ２１の挿通孔２４に合わせられ、ここにボルト４４ａとナット４４ｂとで止着される。この楕円孔３４は、袖端部取付具３１の長さ方向側へ相対的に長い楕円形の断面形状をしており、円孔３３より後側に２つ並んで形成されている。
【００２５】
突出部３５は、取付部３２の先端に嵌められ且つ接着剤で貼られることにより該取付部３２の先端に結合されたキャップ状の部材であって、発泡ポリウレタン樹脂により形成されている。この突出部３５は略半球状の保護部３６を先端に備え、該保護部３６の一部に平面部３７が形成され、該平面部３７に板状の光反射部材３９が貼り付けにより取着されている。
【００２６】
本実施例１によれば、突出部３５が発泡ポリウレタン樹脂であるため、該突出部３５が錆びなくなる他、該樹脂は軽いので該突出部３５が軽量化される。また、該樹脂は柔軟であるため、ガードフェンス９の袖の該突出部３５に歩行者が当たったときの衝撃が吸収され怪我が防止される。そして、このように該突出部３５自体が衝撃吸収作用を発揮することにより、従来例のような緩衝部材が別体形成される必要性がなくなり、部品点数や取付工程が増えるのが抑えられる。また、その他、該樹脂は鋼に比べ安価であるため、袖端部取付具の製造コストは低く抑えられる。
【００２７】
また、該突出部３５は発泡ポリウレタン樹脂であるため、従来の鋼のものに比べて加工が簡単であり、上記のように保護部３６の一部に平面部３７を形成するのも比較的容易である。そして、その平面部３７に上記のように光反射部材３９が取着されていればヘッドライト等に反射して光るため、夜でも見落とされることがなく安全である。
【実施例２】
【００２８】
本実施例２の図３に示す袖端部取付具５１は、実施例１の袖端部取付具３１の代わりに取り付けられるものである。以下には、その袖端部取付具５１を含み構成されたガードフェンスの構造を説明する。但し、本実施例２のガードフェンスの構造は、該袖端部取付具５１以外の点においては実施例１のガードフェンス９の構造と同様であるため、本実施例２では実施例１と同じ符号番号を用い、該袖端部取付具５１の部分のみを説明する。
【００２９】
袖端部取付具５１は、横ビーム２０の袖を構成する部材であって、最端のビームパイプ２１の袖端部２１ａに取り付けられる取付部５２と、該袖端部２１ａより突出する突出部５５とから構成されている。そして、これら取付部５２と突出部５５とは、発泡ポリウレタン樹脂により中実に一体形成されている。該袖端部取付具５１の寸法は、断面の直径が、３５〜５５ｍｍ程度であり、長さが１５０〜３００ｍｍ程度である。
【００３０】
取付部５２は、ビームパイプ２１の袖端部２１ａに挿入されボルト４４ａとナット４４ｂとで取り付けられる丸棒体であって、その外径の大きさは、ビームパイプ２１の内径と略等しいかそれよりわずかに小さく形成されている。そして、この取付部５２の長さ方向の途中部には、ボルト通し穴として、該取付部５２を側面から直径方向へ貫通し発泡ポリウレタン樹脂に囲まれた円穴５３と楕円穴５４とが形成されている。円穴５３は、ブラケット１２の挿通孔１３に合わせられ、ここにボルト４３ａとナット４３ｂとで止着される。この円穴５３は、円形の断面形状をしており、取付部５２の中央より先側に１つ形成されている。一方、楕円穴５４は、ビームパイプ２１の挿通孔２４に合わせられ、ここにボルト４４ａとナット４４ｂとで止着される。この楕円穴５４は、袖端部取付具５１の長さ方向側へ相対的に長い楕円形の断面形状をしており、円穴５３より後側に２つ並んで形成されている。
【００３１】
突出部５５は、ビームパイプ２１の袖端部２１ａが剥き出しにならないようにする部分であって、取付部５２の先端側に形成されている。この突出部５５は略半球状の保護部５６を先端に備え、該保護部５６の一部に平面部５７が形成され、該平面部５７に板状の光反射部材５９が貼り付けにより取着されている。
【００３２】
本実施例２のによれば、該突出部５５に加え取付部５２を含む全体が発泡ポリウレタン樹脂であるため、袖端部取付具５１は、全体が錆びなくなり且つ全体が軽量化される。また、更に該突出部５５と取付部５２とが一体であるため、該袖端部取付具５１の各部が嵩張ったりめくれたりするのが防止される。また、このように、より多くの部分に鋼より安い発泡ポリウレタン樹脂が使用されることにより、製造コストが実施例１に比べ更に低く抑えられる。
【００３３】
なお、該発泡ポリウレタン樹脂は鋼に比べ弱いため、従来例と同様に中空にすると該取付部５２はその強度が弱くなってしまうが、ここでは中実に形成されることによって充分強くなっている。
【実施例３】
【００３４】
本実施例３の図４及び図５に示す継端部取付具６１は、ガードフェンスにおける横ビームの継手部分を構成する部材である。以下には、その継端部取付具６１を含み構成されたガードフェンスの構造を説明する。但し、本実施例３のガードフェンスの構造は、実施例２と比べ、継手パイプ（図示略）の代わりに、該継端部取付具６１が取り付けられている点で相違するが、その他の点においては実施例２のガードフェンス９の構造と同様であるため、本実施例３では実施例２と同じ符号番号を用い、異なる継端部取付具６１の部分のみを説明する。
【００３５】
継端部取付具６１は、ガードフェンス９における２本のビームパイプ２１の継端部２１ｂに取り付けられる部材であって、発泡ポリウレタン樹脂により中実に形成さている。該継端部取付具６１の寸法は、断面の直径が３５〜５５ｍｍ程度あり、長さが２００〜３５０ｍｍ程度である。
【００３６】
詳しくは、該継端部取付具６１は、２本のビームパイプ２１の両方の継端部２１ｂに跨って挿入されボルト７４ａとナット７４ｂとで取り付けられる丸棒体であって、その外径の大きさは、ビームパイプ２１の内径と略等しいかそれよりわずかに小さく形成されている。そして、この継端部取付具６１の長さ方向の途中部には、ボルト通し穴として、該継端部取付具６１を側面から直径方向へ貫通し発泡ポリウレタン樹脂に囲まれた円穴６３と楕円穴６４とが形成されている。円穴６３は、ブラケット１２の挿通孔１３に合わせられ、ここにボルト７３ａとナット７３ｂとで止着される。この円穴６３は、円形の断面形状をしており、継端部取付具６１の略中央に１つ形成されている。一方、楕円穴５４は、ビームパイプ２１の挿通孔２４に合わせられ、ここにボルト７４ａとナット７４ｂとで止着される。この楕円穴６４は、袖端部取付具６１の長さ方向側へ相対的に長い楕円形の断面形状をしており、円穴６３の両側に２つずつ並んで形成されている。
【００３７】
本実施例３によれば、袖端部取付具５１に加え継端部取付具６１も発泡ポリウレタン樹脂であるため、これら双方の取付具が、錆びなくなり且つ軽量化される他、継端部取付具においても製造コストが低く抑えられる。
【００３８】
また、更に、各ビームパイプ２１は、これら該樹脂製の取付具を介し支柱１０に柔軟に接続されるため、人又は自動車等が、各ビームパイプ２１自体に衝突した際にも、そのビームパイプ２１の両端で該取付具が撓ることにより、その衝撃が緩和される。
【００３９】
なお、本発明は前記実施例に限定されるものではなく、発明の趣旨から逸脱しない範囲で適宜変更して具体化することもできる。
【図面の簡単な説明】
【００４０】
【図１】本発明の実施例１の袖端部取付具及びその周辺を示す斜視図である。
【図２】同実施例１の袖端部取付具を示す（ａ）は全体斜視図、（ｂ）は断面図である。
【図３】実施例２の袖端部取付具を示す（ａ）は全体斜視図、（ｂ）は断面図である。
【図４】実施例３の継端部取付具及びその周辺を示す斜視図である。
【図５】同実施例３の継端部取付具を示す（ａ）は全体斜視図、（ｂ）は断面図である。
【図６】従来例の袖端部取付具及びその周辺を示す全体斜視図である。
【符号の説明】
【００４１】
９    ガードフェンス
２１    ビームパイプ
２１ａ  袖端部
３１    袖端部取付具
３２    取付部
３５    突出部
３６    保護部
３７    平面部
３９    光反射部材
５１    袖端部取付具
５２    取付部
５３    ボルト通し穴としての円穴
５４    ボルト通し穴としての楕円穴
５５    突出部
５６    保護部
５７    平面部
５９    光反射部材
６１    継端部取付具
６３    ボルト通し穴としての円穴
６４    ボルト通し穴としての楕円穴
【図１】
2007002528.tif 000003
【図２】
2007002528.tif 000004
【図３】
2007002528.tif 000005
【図４】
2007002528.tif 000006
【図５】
2007002528.tif 000007
【図６】
2007002528.tif 000008